(57)【要約】【課題】補聴器利用者の聞取り認知度を向上させるためには、入力音響信号の音量を増幅させるだけではなく、希望信号／妨害信号を識別し希望信号のみを抽出しない限りＳ／Ｎの改善にはならず、聞取り認知度の向上にはつながらない。また、周囲環境の分析に多数のパラメータを用いた複雑な識別処理を用いた場合には、事前学習や長時間駆動の面で課題が生じる。【解決手段】入力音響信号から騒音レベルを算出し、算出した騒音レベルに従って定常雑音抑圧／非定常雑音抑圧を切替えることで、雑音抑圧の強弱ではなく抑圧する雑音の種類、音源数を制御する。これにより騒音レベルという少ないパラメータのみで、静かなシーンから騒がしいシーンまで常に難聴者にとって一定のＳ／Ｎを維持し、いつでも聞取りやすい補聴器を提供することができる。【選択図】図１
2010193213.tif 000002
【特許請求の範囲】
【請求項１】
マイクロホンで取込んだ入力音響信号から、周囲環境の騒音レベルを算出する騒音検出部と、
前記入力音響信号から、定常的な騒音を除去する定常騒音抑圧部と、
前記入力音響信号から、非定常的な騒音を除去する非定常騒音抑圧部と、
を備え、
前記騒音レベルが所定の閾値未満の場合に、前記定常騒音抑圧部が機能し、前記騒音レベルが前記所定の閾値以上の場合に、前記非定常騒音抑圧部が機能すること、
を特徴とする補聴器。
【請求項２】
少なくとも２つのマイクロホンで取込んだ入力音響信号から、特定の方向に指向感度を持った信号を生成する指向性制御部と、
前記入力音響信号のうち少なくとも一方を用いて、周囲環境の騒音レベルを算出する騒音検出部と、
前記入力音響信号から、定常的な騒音を除去する定常騒音抑圧部と、
前記入力音響信号から、非定常的な騒音を除去する非定常騒音抑圧部と、
を備え、
前記騒音レベルが所定の閾値未満の場合に、前記指向性制御部が特定の方向に指向感度を持たない無指向信号を生成し、かつ、前記無指向信号を入力として前記定常騒音抑圧部が機能し、前記騒音レベルが所定の閾値以上の場合に、前記指向性制御部が特定の方向に指向感度を持った指向性信号を生成し、かつ、前記指向性信号を入力として前記非定常騒音抑圧部が機能すること、
を特徴とする補聴器。
【発明の詳細な説明】
【技術分野】
【０００１】
本発明は、騒音レベルに応じて雑音を抑圧する補聴器に関するものである。
【背景技術】
【０００２】
補聴器とは、聴覚障害者や聴力の衰えた人などが聴力を補助するために利用する機器である。補聴器は、外部で発生した音響信号を、マイクロホンを用いて電気信号に変換し、この電気信号のレベルを増幅し、イヤホンのようなレシーバで再び音響信号に変換して利用者に聞こえる可聴音として出力する。
【０００３】
レシーバから出力される音響信号については、会話音声やテレビ、ラジオ等の出力音、インターホンや電話の呼び鈴など利用者自身が生活に必要な音情報のほか、生活騒音や環境騒音など利用者が必要とする音情報の認知を妨害する様々な妨害音が存在する。
【０００４】
そこで、従来より、補聴器の補聴処理においては、レベルの小さな音は増幅し、レベルの大きな音は増幅しない非線形な増幅処理をはじめ、単に音響信号のレベルを増幅して利用者に聞かせるだけでなく、利用者が聞きやすいように増幅と抑圧を組合わせた様々な工夫がされてきた。
【０００５】
特に近年は、マイクロホンから入力された音響信号をデジタル信号に変換し、上記補聴処理をデジタル処理で行うデジタル補聴器が主流となっている。このようなデジタル補聴器には、入力された音響信号を複数の帯域に分割して帯域毎の希望信号／妨害信号（例えば、音声／非音声）の判別を高速に処理して希望信号のみを抽出する高度な雑音抑圧や、補聴器の前後２ヶ所に設置されたマイクロホンからの入力時間差を用いて、前方から到来する音響信号のみを抽出する指向性収音などの処理が、搭載されている。さらに、補聴器内部に記憶領域を備え、複数の補聴処理プログラムを保持し、補聴器利用者の利用シーンや周囲環境に合わせて補聴処理を自動、あるいは利用者が手動で切替えるタイプの補聴器も普及しつつある。
【０００６】
補聴プログラムを利用者の周囲環境に合わせて切替える概念は従来より多く提案されている。例えば、特許文献１には、入力信号レベルに応じた出力信号レベルを決定付ける入出力特性変換テーブルを複数保持し、入力信号の周波数特性に応じて変換テーブルを適宜切替える技術が提案されている（図６）。また、特許文献２では、周囲環境の分析に聴覚情景分析（ＡＳＡ：Ａｕｄｉｔｏｒｙ  Ｓｃｅｎｅ  Ａｎａｌｙｓｉｓ）、あるいはＨＭＭ（Ｈｉｄｄｅｎ  Ｍａｒｋｏｖ  Ｍｏｄｅｌ：隠れマルコフモデル）を用いる手法が提案されている（図７）。
【０００７】
図６に示す従来の補聴器１００１は、マイクロホン１００２から入力された音響信号をＡ／Ｄコンバータ１００３にてデジタル信号に変換し、入出力特性変換部１００４にて補聴処理した後、Ｄ／Ａコンバータ１００５にて再度音響信号に変換して、レシーバ１００６から出力するタイプの補聴器である。入出力特性変換部１００４は、入力デジタル信号の振幅値をアドレスとして、出力すべき変換後の振幅値を記憶したテーブルにより構成され、入力信号レベルに応じて出力信号レベルを制御する構成となっている。入出力特性変換部１００４に適用される変換テーブルは、入出力特性決定部１００７により規定され、入出力特性決定部１００７には、入力される音響信号の特性に応じて適用する変換テーブルを切替えるべく複数の変換テーブルを保持している。変換テーブルの決定には、利用者がスイッチ等により外部より指定するほか、入力信号を用いて環境騒音の程度を評価し、自動で選択・切替えることも可能である。
【０００８】
図７に示す従来の補聴器２００１は、マイクロホン２００２、２００３から入力された音響信号を、補聴処理部２００４にて補聴処理し、レシーバ２００５から出力するタイプの補聴器である。補聴器２００１は、入力された音響信号を信号分析部２００６にて特徴抽出し、信号識別部２００７にて前記音響信号の瞬時的音響環境状況を識別し、識別した音響環境状況に応じて、補聴処理部２００４の補聴アルゴリズムを切替える。信号識別部２００７における瞬時的音響環境状況は、音の強弱、スペクトル形態、調和構造などといった聴覚ベースの特徴の組合せにより識別され、識別アルゴリズムとしてＨＭＭなどが適用されている。ＨＭＭは音声認識等で広く用いられる統計的手法であり、過去の状態遷移や各状態における出現確率分布から未知の入力に対する出力状態を推定するモデルである。また、局所最適に陥らぬよう適切にパラメータを初期化するためにトレーニング装置２００８が備えられる。
【特許文献１】特許第２５６８１３４号公報
【特許文献２】特表２００４−５００５９２号公報
【発明の開示】
【発明が解決しようとする課題】
【０００９】
しかしながら、上記特許文献１の入出力特性変換テーブルでは、妨害信号区間の増幅は制限されて聞きやすさの改善や不快感の軽減はあっても、妨害信号に埋もれた希望信号を抽出してＳ／Ｎを改善することにはならない。したがって、明瞭度の改善や聞取り認知度の向上にはつながらない。補聴器利用者にとって、補聴処理でのＳ／Ｎ改善は、聞取り認知度向上のための必須要件とも言える。
【００１０】
また、上記特許文献１の入出力特性変換テーブルを、帯域分割した各周波数帯域毎に細かく保持したり、上記特許文献２のようにＨＭＭを用いる技術では、周囲環境の分析が非常に煩雑で負荷の高いものになってしまう。
【００１１】
補聴器はその利用目的から駆動電源に小型の空気電池が用いられることが多く、一回の交換で１週間から２週間程度は継続して使用できることが望まれている。補聴器のような小型の機器の電池交換は、主たる補聴器利用者である高齢者にとって非常に煩わしく、長時間駆動により電池交換の頻度を軽減することも補聴器にとって重要な機能要素である。したがって、上記特許文献１および特許文献２の補聴器では、負荷が高いために頻繁に電池交換をしなければならない。
【００１２】
また、上記特許文献２に示されるＨＭＭ手法は、もとは音声認識等で広く使われている識別手法であり、その識別処理は非常に高負荷なものである。また、ＨＭＭを有効に機能させる場合に事前学習によるデータベースの構築が不可欠であり、千差万別の利用者環境に適合させる事前学習や膨大なベータベースを保持する記憶領域の確保も、補聴器とは相性がよいものとは言い難い。
【００１３】
本発明は、前記従来の課題を解決するもので、周囲環境に合わせて補聴処理を自動で切替える適応型補聴器であって、難聴者の聴感特性と利用目的に適合させた簡素で高速な適応型補聴器を提供することを目的とする。
【課題を解決するための手段】
【００１４】
前記目的を達成するために、本発明の補聴器は、マイクロホンで取込んだ入力音響信号から周囲環境の騒音レベルを算出する騒音検出部と、前記入力音響信号から定常的な騒音を除去する定常騒音抑圧部と、前記入力音響信号から非定常的な騒音を除去する非定常騒音抑圧部とを備え、前記騒音レベルが所定の閾値以下の場合に前記定常騒音抑圧部が機能し、前記騒音レベルが前記所定の閾値以上の場合に前記非定常騒音抑圧部が機能することを特徴とする。また、少なくとも２つのマイクロホンで取込んだ入力音響信号から特定の方向に指向感度を持った信号を生成する指向性制御部と、前記入力音響信号のうち少なくとも一方を用いて周囲環境の騒音レベルを算出する騒音検出部と、前記入力音響信号から定常的な騒音を除去する定常騒音抑圧部と、前記入力音響信号から非定常的な騒音を除去する非定常騒音抑圧部とを備え、前記騒音レベルが所定の閾値以下の場合に前記指向性制御部が特定の方向に指向感度を持たない無指向信号を生成し、かつ、前記無指向信号を入力として前記定常騒音抑圧部が機能し、前記騒音レベルが所定の閾値以上の場合に前記指向性制御部が特定の方向に指向感度を持った指向性信号を生成し、かつ、前記指向性信号を入力として前記非定常騒音抑圧部が機能することを特徴とする。
【００１５】
なお、本発明は、このような補聴器として実現することができるだけでなく、集積回路や、補聴処理方法、補聴処理をコンピュータに実行させるプログラム、そのプログラムを格納する記録媒体としても実現することができる。
【発明の効果】
【００１６】
本発明の補聴器によれば、難聴者の聞取り認知度を低下させる妨害音を周囲騒音レベルに応じて除去し、周囲環境が静かなシーンから騒がしいシーンまで一定のＳ／Ｎを維持することで、常に安全で聞取りやすくすることができる。
【発明を実施するための最良の形態】
【００１７】
以下、本発明の実施の形態について、図面を参照しながら説明する。
【００１８】
（実施の形態１）
図１は、本発明の実施の形態１における補聴器１の概略構成を示す構成図である。補聴器１は、マイクロホン２と、増幅部３と、レシーバ４と、騒音レベル検出部５と、比較器６と、雑音抑圧部７とを備える。雑音抑圧部７は、さらに、定常騒音抑圧部７１と、非定常騒音抑圧部７２とから構成される。一般的な補聴器１は、マイクロホン２から入力される音響信号を、雑音抑圧部７により妨害信号を除去して希望信号のみとし、増幅部３において利用者の聴覚特性に応じた増幅処理により利用者の可聴レベルに希望信号を増幅して、レシーバ４より出力する。
【００１９】
さらに本実施の形態の補聴器１は、マイクロホン２から入力される音響信号を用いて、騒音レベル検出部５で騒音レベルを算出する。算出した騒音レベル信号を比較器６にて、ある所定の閾値Ｔｈと比較し、騒音レベルが閾値Ｔｈ未満の場合は雑音抑圧部７の機能として定常騒音抑圧部７１を機能させ、入力された音響信号から定常騒音を除去する。一方、補聴器１は、騒音レベルが閾値Ｔｈ以上の場合は雑音抑圧部７の機能として非定常騒音抑圧部７２を機能させて、入力された音響信号から非定常騒音を除去する。また、図１には示さないＡ／ＤまたはＤ／Ａコンバータをマイクロホン２の後段またはレシーバ４の前段、あるいはその他の適切な箇所に配置して内部の補聴処理にデジタル信号処理を用いることで、より精度の高い妨害信号の除去が実現可能である。
【００２０】
騒音レベルの算出は、入力音響信号レベルそのもので代用することも可能であるが、必要に応じてローパスフィルタ、ハイパスフィルタ、またはバンドパスフィルタを組合せ、必要な帯域を切出す処理を組合わせても良い。例えば、騒音レベルを利用者の聞こえに近づけたい場合は人間の聴覚特性を模擬したフィルタを適用すればよい。また、騒音レベルの時間変動を抑えたい場合はローパスフィルタを用いて短時間平均化すればよい。
【００２１】
図２は、騒音レベル検出部５の構成の一例を示す構成図である。騒音レベル検出部５は、聴感特性フィルタ５１と、絶対値算出部５２と、ローパスフィルタ５３と、対数変換部５４とから構成される。
【００２２】
騒音レベル検出部５において、聴感特性フィルタ５１は、マイクロホン２からの入力音響信号から音声信号帯域を抽出する。絶対値算出部５２は、抽出された音声信号帯域の絶対値をとる。ローパスフィルタ５３は、音声信号帯域の絶対値をとった値を平滑化処理する。最後に対数変換部５４は、平滑化処理された値の対数化処理によって算出した騒音レベルを対数尺度［ｄＢＡ］に変換する。
【００２３】
定常騒音抑圧として代表的なものにスペクトルサブトラクション法がある。
【００２４】
図３は、スペクトルサブトラクション法を用いた定常騒音抑圧部７１の詳細な構成を示す図である。定常騒音抑圧部７１は、周波数変換部７１１と、減算部７１２と、周波数逆変換部７１３と、雑音推定部７１４と、音声検出部７１５とから構成される。この定常騒音抑圧部７１は、入力音響信号を周波数変換部７１１により、周波数スペクトル信号に変換すると同時に、音声検出部７１５により、入力音響信号中の音声区間を抽出する。雑音推定部７１４は、抽出した音声区間情報を用い、前記周波数スペクトル信号に含まれる雑音スペクトルを推定する。雑音スペクトルは、例えば、抽出した音声区間以外の区間（非音声区間）の周波数スペクトル信号を平滑化するなどして推定される。減算部７１２は、前記周波数スペクトル信号から、推定した雑音スペクトルを減算し、最後に周波数逆変換部７１３が周波数スペクトル信号を再度音響信号に変換する。
【００２５】
同様に、非定常騒音抑圧に有効な２入力スペクトルサブトラクション法も提案されている。
【００２６】
図４は、２入力スペクトルサブトラクション法を用いた非定常騒音抑圧部７２の詳細な構成を示す図である。非定常騒音抑圧部７２は、周波数変換部７１１ａ、７１１ｂと、減算部７１２と、周波数逆変換部７１３と、雑音推定部７１６と、伝達特性算出部７１７とから構成される。なお、マイクロホン２は、第一のマイクロホン２ａおよび第二のマイクロホン２ｂから構成されている。この非定常騒音抑圧部７２は、主に希望信号を多く含む入力音響信号を周波数変換部７１１ａにより、主に妨害信号を多く含む入力音響信号を周波数変換部７１１ｂにより、それぞれ周波数スペクトル信号に変換する。変換されたそれぞれの周波数スペクトル信号は、伝達特性算出部７１７に入力され、その差分情報などにより２信号間の伝達特性を算出する。雑音推定部７１６は、算出した伝達特性を用い、前記希望信号を周波数変換した周波数スペクトル信号に含まれる雑音スペクトルを推定する。スペクトルサブトラクション法がスペクトル信号の平滑化処理から雑音スペクトルを推定するため、時間変動の少ない定常騒音しか抑圧できないのに対し、２入力スペクトルサブトラクション法では、２入力間の伝達特性から瞬時の雑音スペクトルを推定することにより、時間変動する非定常騒音の抑圧が可能となる。減算部７１２は、前記希望信号を周波数変換した周波数スペクトル信号から、推定した雑音スペクトルを減算し、最後に周波数逆変換部７１３が周波数スペクトル信号を再度音響信号に変換する。
【００２７】
日常生活において、車の走行騒音や雑踏のざわざわした騒音など、補聴器利用者の聞こえを妨げる騒音の多くは時間変動する非定常な騒音である。定常騒音のみでなく非定常騒音を除去することで、入力音響信号に含まれる妨害信号の除去効果が格段に向上する。一方で、周囲環境が静かな、例えば屋内のリビング空間などでは、そもそも利用者の聞取りを妨げる妨害音が多くは存在せず、発生する非定常騒音を抑圧することは周囲状況の把握ができなくなり、むしろ安全面で危険でもある。反面、暗騒音やファンノイズなどの定常的な騒音は静かな場所であっても耳障りであることが多い。騒音レベルが小さな場合は、雑音抑圧手法として定常騒音抑圧のみを機能させることが有効である。
【００２８】
騒音レベルが大きな場合、例えば街中の雑踏などでは、個々の騒音源の音量も増大しているが、難聴者の聞取り認知度を低下させる要因は音量だけでなく、騒音源が複数あることが聞取りを急激に困難なものとしている。屋内での非定常騒音と言えばインターホンや電話の呼び鈴など単発で、かつ生活上必要な音情報である場合が多かったが、屋外では交通騒音や工事騒音、ＢＧＭなど複数の環境騒音が利用者が聞きたい音を聞取りにくくしている。補聴器利用者の聞きたい音といえば大抵の場合、会話相手の声であると考えられる。従って、騒音レベルが上昇した場合はＳ／Ｎ維持のため非定常騒音抑圧を機能させ、音声以外の環境騒音を除去することで聞取り認知度を向上させることが可能となる。
【００２９】
なお、本実施の形態では、定常騒音抑圧／非定常騒音抑圧の代表例として、それぞれスペクトルサブトラクション法／２入力スペクトルサブトラクション法を挙げたが、本発明を実施するにあたっては雑音抑圧の手法を限定するものではない。また、定常騒音抑圧／非定常騒音抑圧の切替えに関してもそれぞれ個別の抑圧処理部を有するわけではなく、非定常騒音抑圧手法の一部のパラメータを切替えて定常騒音のみを抑圧する機能に切替える構成としてもよい。
【００３０】
（実施の形態２）
図５は、本発明の実施の形態２における補聴器１の概略構成を示す構成図である。補聴器１は、第一のマイクロホン２ａ、第二のマイクロホン２ｂと、増幅部３と、レシーバ４と、騒音レベル検出部５と、比較器６と、雑音抑圧部７と、指向性制御部８とを備える。雑音抑圧部７は、さらに、定常騒音抑圧部７１と、非定常騒音抑圧部７２とから構成される。
【００３１】
補聴器１は、少なくとも第一および第二のマイクロホン２ａ，２ｂから入力される音響信号を用いて、指向性制御部８である特定の方向に指向感度を持った信号を生成する。同時に、第一および第二のマイクロホン２ａ，２ｂのいずれか一方、あるいは両方から入力される音響信号を用いて、騒音レベル検出部５で騒音レベルを算出する。次に、補聴器１は、算出した騒音レベル信号を比較器６にてある所定の閾値Ｔｈと比較する。そして、騒音レベルが閾値Ｔｈ未満の場合は、指向性制御部８は特定の方向に指向感度を持たない無指向性の信号を生成すると同時に、雑音抑圧部７は定常騒音抑圧（定常騒音抑圧部７１）を機能させる。一方、騒音レベルが閾値Ｔｈ以上の場合は、指向性制御部８は特定の方向に指向感度を持った指向性の信号を生成すると同時に、雑音抑圧部７は非定常騒音抑圧（非定常騒音抑圧部７２）を機能させて、入力された音響信号に含まれる妨害信号を除去する。補聴器１は、妨害信号が除去され希望信号のみとなった音響信号を、増幅部３において利用者の聴覚特性に応じた増幅処理により利用者の可聴レベルに増幅して、レシーバ４より出力する。また、実施の形態１と同様、Ａ／ＤまたはＤ／Ａコンバータを第一および第二のマイクロホン２ａ，２ｂの後段またはレシーバ４の前段、あるいはその他の適切な箇所に配置して内部の補聴処理にデジタル信号処理を用いることで、より精度の高い妨害信号の除去が実現可能である。実施の形態１との差は入力マイクロホンを少なくとも２つ必要とする点と、指向性制御部が追加となった点である。定常騒音抑圧／非定常騒音抑圧の切替を始め、その他の構成、動作に関しては実施の形態１と同様であるため重複する説明は省略する。
【００３２】
非定常騒音の抑圧と同様、入力音響信号の信号をある特定の方向に指向感度を持たせることで、その他の方向に含まれる妨害信号の除去効果が格段に向上する。一方で、利用者の安全面を考慮した場合も非定常騒音の抑圧と同様、周囲環境が静かな、例えば屋内のリビング空間などでは、特定の方向のみに指向感度を持たせることは周囲状況把握の妨げとなる。
【００３３】
騒音レベルが大きな場合、例えば街中の雑踏などでは、特定の方向に指向感度を持つことは、その他の方向に存在する環境騒音を除去することで聞取り認知度を向上させることが可能となる。さらに、指向性の制御と非定常の騒音抑圧を組合わせることで、より精度の高い妨害信号の除去が可能となる。
【００３４】
なお、比較器６における閾値Ｔｈを２値にわけ、無指向／指向性の切替えと定常騒音抑圧／非定常騒音抑圧の切替えを段階的に行うことも可能である。これは、切替えによる補聴音の特性差を軽減する効果があり、特に指向性＋非定常騒音抑圧の妨害信号除去効果が高い場合に指向性と非定常騒音抑圧を段階的に有効にすることで、違和感なく高い妨害信号除去効果を得ることが可能となる。
【００３５】
（その他変形例）
なお、本発明を上記実施の形態に基づいて説明してきたが、本発明は、上記の実施の形態に限定されないのはもちろんである。以下のような場合も本発明に含まれる。
【００３６】
（１）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムにしたがって動作することにより、システムＬＳＩは、その機能を達成する。
【００３７】
（２）上記の各装置を構成する構成要素の一部または全部は、各装置に脱着可能なＩＣカードまたは単体のモジュールから構成されているとしてもよい。前記ＩＣカードまたは前記モジュールは、マイクロプロセッサ、ＲＯＭ、ＲＡＭなどから構成されるコンピュータシステムである。前記ＩＣカードまたは前記モジュールは、上記の超多機能ＬＳＩを含むとしてもよい。マイクロプロセッサが、コンピュータプログラムにしたがって動作することにより、前記ＩＣカードまたは前記モジュールは、その機能を達成する。このＩＣカードまたはこのモジュールは、耐タンパ性を有するとしてもよい。
【００３８】
（３）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【００３９】
また、本発明は、前記コンピュータプログラムまたは前記デジタル信号をコンピュータ読み取り可能な記録媒体に記録したものとしてよい。コンピュータ読み取り可能な記録媒体としては、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどが挙げられる。また、本発明は、これらの記録媒体に記録されている前記デジタル信号であるとしてもよい。
【００４０】
また、本発明は、前記コンピュータプログラムまたは前記デジタル信号を、電気通信回線、無線または有線通信回線、インターネットを代表とするネットワーク、データ放送等を経由して伝送するものとしてもよい。
【００４１】
また、本発明は、マイクロプロセッサとメモリを備えたコンピュータシステムであって、前記メモリは、上記コンピュータプログラムを記憶しており、前記マイクロプロセッサは、前記コンピュータプログラムにしたがって動作するとしてもよい。
【００４２】
また、前記プログラムまたは前記デジタル信号を前記記録媒体に記録して移送することにより、または前記プログラムまたは前記デジタル信号を前記ネットワーク等を経由して移送することにより、独立した他のコンピュータシステムにより実施するとしてもよい。
【００４３】
（４）上記実施の形態及び上記変形例をそれぞれ組み合わせるとしてもよい。
【産業上の利用可能性】
【００４４】
本発明の補聴器は、周囲環境に合わせて補聴処理を自動で切替える適応型補聴器として有用である。
【図面の簡単な説明】
【００４５】
【図１】本発明の実施の形態１における補聴器の構成図である。
【図２】同上の騒音検出部の構成の一例を示す構成図である。
【図３】同上のスペクトルサブトラクション法を用いた定常騒音抑圧部の構成の一例を示す構成図である。
【図４】同上の２入力スペクトルサブトラクション法を用いた非定常騒音抑圧部の構成の一例を示す構成図である。
【図５】本発明の実施の形態２における補聴器の構成図である。
【図６】従来の補聴器の構成図である。
【図７】従来の他の補聴器の構成図である。
【符号の説明】
【００４６】
１        補聴器
２        マイクロホン
２ａ      第一のマイクロホン
２ｂ      第二のマイクロホン
３        増幅部
４        レシーバ
５        騒音レベル検出部
６        比較器
７        雑音抑圧部
７１      定常騒音抑圧部
７２      非定常騒音抑圧部
８        指向性制御部
５１      聴感特性フィルタ
５２      絶対値算出部
５３      ローパスフィルタ
５４      対数変換部
７１１    周波数変換部
７１１ａ  第一の周波数変換部
７１１ｂ  第二の周波数変換部
７１２    減算部
７１３    周波数逆変換部
７１４、７１６    雑音推定部
７１５    音声検出部
７１７    伝達特性算出部
【図１】
2010193213.tif 000003
【図２】
2010193213.tif 000004
【図３】
2010193213.tif 000005
【図４】
2010193213.tif 000006
【図５】
2010193213.tif 000007
【図６】
2010193213.tif 000008
【図７】
2010193213.tif 000009